(57)【要約】【課題】主に、太陽電池パネルの大出力化や見栄えの向上を図り得るようにする。【解決手段】太陽電池パネル４が設置された屋根面を複数備えた太陽電池パネル付屋根５に関する。  複数の屋根面のうち、大棟４１を介して隣接される屋根面は、大棟４１から水平に延びる水平屋根面１１と、大棟４１から下り勾配を有して延びる勾配屋根面１２〜１５となっている。  水平屋根面１１と勾配屋根面１２〜１５との間には、段差部４２が設けられるようにしている。  そして、段差部４２には、化粧材５１を設置しても良い。  化粧材５１は、水平面５１ａと垂直面５１ｂとを有する断面Ｌ型のものとしても良い、断面Ｌ型の化粧材５１は、水平面５１ａと垂直面５１ｂとのコーナー部分に斜めの隅切部５１ｃを有しても良い。【選択図】図４
2018141309.tif 000002
【特許請求の範囲】
【請求項１】
太陽電池パネルが設置された屋根面を複数備えた太陽電池パネル付屋根において、
複数の前記屋根面のうち、大棟を介して隣接される前記屋根面は、前記大棟から水平に延びる水平屋根面と、前記大棟から下り勾配を有して延びる勾配屋根面となっており、
前記水平屋根面と前記勾配屋根面との間には、段差部が設けられていることを特徴とする太陽電池パネル付屋根。
【請求項２】
請求項１に記載の太陽電池パネル付屋根であって、
前記段差部には、化粧材が設置されていることを特徴とする太陽電池パネル付屋根。
【請求項３】
請求項２に記載の太陽電池パネル付屋根であって、
前記化粧材は、水平面と垂直面とを有するものとされると共に、
前記化粧材は、前記水平面と前記垂直面とのコーナー部分に斜めの隅切部を有していることを特徴とする太陽電池パネル付屋根。
【請求項４】
請求項１ないし請求項３のいずれか１項に記載の太陽電池パネル付屋根であって、
前記水平屋根面を構成する野地板と、前記勾配屋根面を構成する野地板とは、前記段差部の位置に互いに離隔された離隔部を有していることを特徴とする太陽電池パネル付屋根。
【請求項５】
請求項４に記載の太陽電池パネル付屋根であって、
前記離隔部では、前記水平屋根面の前記野地板の縁部が、前記勾配屋根面の前記野地板の上縁部よりも上下方向の位置が高くなっていることを特徴とする太陽電池パネル付屋根。
【請求項６】
請求項２または請求項３に記載の太陽電池パネル付屋根であって、
前記水平屋根面は、前記化粧材を受ける化粧材受材を有していることを特徴とする太陽電池パネル付屋根。
【請求項７】
請求項２、請求項３または請求項６に記載の太陽電池パネル付屋根であって、
前記勾配屋根面の上部には、勾配部化粧材が取付けられていることを特徴とする太陽電池パネル付屋根。
【請求項８】
請求項７に記載の太陽電池パネル付屋根であって、
前記勾配部化粧材に、前記化粧材が接続されることを特徴とする太陽電池パネル付屋根。
【発明の詳細な説明】
【技術分野】
【０００１】
この発明は、太陽電池パネル付屋根に関するものである。
【背景技術】
【０００２】
住宅などの屋根に対して、太陽電池パネルを設置することが行われている。そして、屋根に対して予め太陽電池パネルを設置した太陽電池パネル付屋根も存在している（例えば、特許文献１参照）。特許文献１の太陽電池パネル付屋根では、太陽電池パネルが設置された屋根面を複数備えている。なお、住宅など屋根構造には、上記の他に特許文献２〜特許文献７に示すようなものも存在している。
【先行技術文献】
【特許文献】
【０００３】
【特許文献１】特開２００１−１８２２６２号公報
【特許文献２】特開２００１−１５２２６３号公報
【特許文献３】特開２００７−２７０６１６号公報
【特許文献４】特開２００１−１８２２６２号公報
【特許文献５】特開２０１６−７５０６９号公報
【特許文献６】特開２０００−１６０７９０号公報
【特許文献７】特開２００１−１２０３９号公報
【発明の概要】
【発明が解決しようとする課題】
【０００４】
例えば、太陽電池パネル付屋根には、現状よりも太陽電池パネルによる出力を大出力化したいという要望や、見栄えをより向上したいという要望が常時存在しており、常に改良の余地を有している。
【０００５】
そこで、本発明は、主に、上記した問題点を解決することを目的としている。
【課題を解決するための手段】
【０００６】
上記課題を解決するために、本発明は、太陽電池パネルが設置された屋根面を複数備えた太陽電池パネル付屋根において、複数の前記屋根面のうち、大棟を介して隣接される屋根面は、前記大棟から水平に延びる水平屋根面と、前記大棟から下り勾配を有して延びる勾配屋根面となっており、前記水平屋根面と前記勾配屋根面との間には、段差部が設けられていることを特徴とする。
【発明の効果】
【０００７】
本発明によれば、上記構成によって、太陽電池パネルの大出力化や見栄えの向上を図ることなどができる。
【図面の簡単な説明】
【０００８】
【図１】本実施の形態にかかる太陽電池パネル付屋根の斜視図である。
【図２】図１のＡ−Ａ線に沿った断面図である。
【図３】図１のＢ−Ｂ線に沿った断面図である。
【図４】図２の部分拡大図である。
【図５】図３の部分拡大図である。
【発明を実施するための形態】
【０００９】
以下、本実施の形態を、図面を用いて詳細に説明する。
図１〜図５は、この実施の形態を説明するためのものである。
【実施例１】
【００１０】
＜構成＞以下、構成について説明する。
【００１１】
図１は、住宅などの建物１の屋根２を示す斜視図である。この屋根２は建物本体３の上部に設置された寄棟屋根となっている。また、この屋根２は、予め太陽電池パネル４が設置された太陽電池パネル付屋根５となっている。この太陽電池パネル付屋根５は、太陽電池パネル４が設置された屋根面（符号１１〜１５を参照）を複数備えている。なお、この屋根２は、ドーマなどのような採光を得るための手段などを特に有さないものとなっている。
【００１２】
ここで、建物１は、どのようなものであっても良いが、この実施例では、図２（または、図３）に示すように、工場で予め製造した複数の建物ユニット２１を建築現場へ輸送して建築現場で組み立てることによって短期間のうちに構築し得るようにしたユニット建物としている。このユニット建物の屋根２は、屋根ユニット２４や屋根パネル２７などで構成されている。
【００１３】
このうち、建物本体３を構成する建物ユニット２１は、４本の柱の上端部間に天井梁３１（図中には１本のみ示す）を矩形状に連結すると共に、４本の柱の下端部間に床根梁を矩形状に連結してなるほぼ直方体状をしたボックスラーメン構造のユニットフレームを有している。屋根ユニット２４についても、建物ユニット２１と同様に、柱３４や屋根梁３５ａ，３５ｂ（図３参照）などを有するユニットフレームを備えている。屋根パネル２７は、屋根フレーム３７を有している。
【００１４】
そして、以上のような基本的または全体的な構成に対し、この実施例は、以下のような構成を備えている。
【００１５】
（１）複数の屋根面のうち、大棟４１を介して隣接される屋根面は、大棟４１から水平に延びる水平屋根面１１と、大棟４１から下り勾配を有して延びる勾配屋根面１２〜１５となっている。
そして、図２、図３に示すように、水平屋根面１１と勾配屋根面１２〜１５との間には、段差部４２が設けられている。
【００１６】
ここで、複数の屋根面は、矩形状をした１つの水平屋根面１１と、台形状をした４つの勾配屋根面１２〜１５となっている。４つの勾配屋根面１２〜１５は、水平屋根面１１を取り囲むように設けられている。水平屋根面１１に対し、太陽電池パネル４は同じ大きさのものが縦方向および横方向に対して規則正しく整然と設置されている。また、台形状をした４つの勾配屋根面１２〜１５に対し、太陽電池パネル４は縦方向の長さが全て等しいものが縦方向および横方向に対して規則正しく整然と設置されている。
【００１７】
大棟４１は、屋根２の一番高い水平な棟のことであり、この場合、矩形状の水平屋根面１１の各辺の位置に４つの大棟４１が設けられている。また、４つの勾配屋根面１２〜１５の間は、下り棟４４となっており、下り棟４４を介して隣接される勾配屋根面１２〜１５は、互いに勾配角度４５が同一となっている。この勾配角度４５は、水平に対して９０度以下に設定されている。
【００１８】
そして、水平屋根面１１は、屋根ユニット２４の上部に水平に設けられ、４つの勾配屋根面１２〜１５は、屋根パネル２７などによって構成されている。屋根パネル２７は、その上端部を屋根ユニット２４の側部（屋根梁３５ａ，３５ｂや柱３４など）に対して、水上固定金具４６で固定されると共に、その下端部を下方に位置する建物ユニット２１（の天井梁３１）の上端部に対して軒元固定金具４８で固定されている。
【００１９】
段差部４２は、大棟４１の位置に設けられる。
【００２０】
（２）そして、段差部４２には、化粧材５１が設置されている。
【００２１】
ここで、図１に示すように、化粧材５１は、大棟４１の位置に形成された段差部４２を隠すものとなっている。この化粧材５１は、太陽電池パネル４を固定する固定具や、勾配屋根面１２〜１５の上部に対する接続部材などを特に有さないものとなっている。また、下り棟４４には、別の化粧材５５が取付けられる。この別の化粧材５５は、太陽電池パネル４の側部に位置するものとなっており、太陽電池パネル４の側面などを覆わないようになっている。なお、図２に示す、水平屋根面１１と勾配屋根面１２（または勾配屋根面１４）との間に設けられる化粧材５１と、図３に示す、水平屋根面１１と勾配屋根面１３（または勾配屋根面１５）との間に設けられる化粧材５１とは、基本的に同じ構造を有しているが、形状については若干異なっている。
【００２２】
（３）図４（または、図５）に示すように、この化粧材５１は、水平面５１ａと垂直面５１ｂとを有するものとされている。
化粧材５１は、水平面５１ａと垂直面５１ｂとのコーナー部分に斜めの隅切部５１ｃを有している。
【００２３】
ここで、化粧材５１は、断面ほぼＬ型とされており、断面ほぼＬ型の化粧材５１の水平面５１ａは、水平屋根面１１の側に設けられ、垂直面５１ｂは、勾配屋根面１２〜１５の側に設けられている。隅切部５１ｃは、４５°よりも角度が大きい急斜面などとされている。
【００２４】
（４）そして、水平屋根面１１を構成する野地板６１と、勾配屋根面１２〜１５を構成する野地板６２とは、段差部４２の位置に互いに離隔された離隔部６３を有している。
【００２５】
ここで、野地板６１，６２は、それぞれ水平屋根面１１や勾配屋根面１２〜１５の下地材である。
【００２６】
（５）離隔部６３では、水平屋根面１１の野地板６１の縁部６１ａが、勾配屋根面１２〜１５の野地板６２の上縁部６２ａよりも上下方向６５の位置が高くなっている。
【００２７】
ここで、野地板６１の縁部６１ａと野地板６２の上縁部６２ａとは、図４に示すように、上下方向６５に対して重ならないようにしても良いし、図５に示すように、上下方向６５に対して重なるようにしても良い。
【００２８】
（６）そして、水平屋根面１１は、化粧材５１を受ける化粧材受材７１を有している。
【００２９】
ここで、化粧材受材７１は、化粧材５１の水平面５１ａを受ける金具とされている。化粧材受材７１は、水平屋根面１１の野地板６１の縁部６１ａ周辺に位置に取付けられる。化粧材５１は、水平面５１ａを化粧材受材７１の上に載置した状態で上からビスなどで固定される。
【００３０】
（７）勾配屋根面１２〜１５の上部には、勾配部化粧材７２が取付けられている。
【００３１】
ここで、勾配部化粧材７２は、勾配屋根面１２〜１５に取付けた太陽電池パネル４の上面とほぼ同じ高さとなるように、勾配屋根面１２〜１５の上部に取付けられる。
【００３２】
（８）勾配部化粧材７２に、化粧材５１が接続されるようになっている（接続部７３）。
【００３３】
ここで、接続部７３は、図４に示すように、ビスなどの直接固定手段としたり、図５に示すように、接続用金具やビスなどを用いた間接固定手段としたりすることができる。
【００３４】
以下に、上記以外の構成について説明する。
【００３５】
まず、上記した化粧材受材７１は、水平屋根面１１を構成する野地板６１の縁部に沿って取付けた溝板７５の側面を利用して取付けることができる。溝板７５の端部には、溝板端受金具７６や目地カバー７７（図５）などが取付けられる。
【００３６】
上記した勾配部化粧材７２は、勾配屋根面１２〜１５（の野地板６２など）に対し、水上カバー受金具８１や軒先カバー受金具８２を介して取付けられる。
【００３７】
また、上記した離隔部６３では、水平屋根面１１を構成する野地板６１と、勾配屋根面１２〜１５を構成する野地板６２との間に、ルーフィング受金具８３、ルーフィング受け水切り８４、水上受鋼板８５などが設けられており、ルーフィング受け水切り８４の上部には、水平屋根面１１を構成する野地板６１の上に設置されたシート状のルーフィング材８６の端部の飛び出した部分が重ねられている。
【００３８】
また、必要に応じて、勾配部化粧材７２と化粧材５１との接続部７３と、ルーフィング受け水切り８４と水上受鋼板８５との接続部との間には、下がり防止金具８７などが設けられる。
【００３９】
更に、水平屋根面１１では、太陽電池パネル４は、その端部が、銜え（くわえ）金具９１を用いて水平屋根面１１に固定されており、少なくとも、銜え（くわえ）金具９１の部分を防鳥鋼板９２によって覆うようにしている。また、太陽電池パネル４の端部には、命綱固定金具９３や破線で示すような太陽電池置き金具９４などを設けることもできる。
【００４０】
また、勾配屋根面１２〜１５では、太陽電池パネル４の端部が、太陽電池固定金具９５によって勾配屋根面１２〜１５に固定されており、太陽電池パネル４の端部には、縦カバー受金具９６を介して縦カバー９７が取付けられている。
【００４１】
＜作用効果＞この実施例によれば、以下のような作用効果を得ることができる。
【００４２】
（作用効果１）建物１の屋根２を、太陽電池パネル４が設置されている屋根面を複数備えた太陽電池パネル付屋根５にした。これにより、複数の屋根面にそれぞれ最適に設置された太陽電池パネル４を用いて太陽光発電を行うことが可能となり、太陽電池パネル４の大容量化または大出力化を図ることができる。また、太陽電池パネル付屋根５を見栄えの良いものにすることができる。
【００４３】
そして、太陽電池パネル付屋根５を、大棟４１から水平に延びる水平屋根面１１と、大棟４１から下り勾配を有して延びる勾配屋根面１２〜１５とを有する寄棟屋根とした。これにより、水平屋根面１１を設けずに勾配屋根面１２〜１５をそのまま上側に延長した寄棟屋根と比べて、太陽電池パネル４の設置面積を増やすことができる。即ち、より太陽電池パネル４の容量を増やすことが可能となる。しかも、太陽電池パネル付屋根５の高さを低くすることができ、太陽電池パネル付屋根５の見栄えを更に良くすることができる。
【００４４】
この際、水平屋根面１１と勾配屋根面１２〜１５との間に段差部４２を設けるようにした。これにより、水平屋根面１１および勾配屋根面１２〜１５に、それぞれ独立性が生じることから、水平屋根面１１および勾配屋根面１２〜１５に対する形状自由度が上がるので、水平屋根面１１や勾配屋根面１２〜１５を、見栄えが良く、しかも、太陽電池パネル４の設置に適した形状および大きさとなるように設定・調整することが容易にできるようになり、段差部４２を設けずに水平屋根面１１と勾配屋根面１２〜１５とを単純に繋げて設ける場合と比べると格段に構造的に有利になる。よって、水平屋根面１１と勾配屋根面１２〜１５との両方の最適化を図ることが可能になる。
【００４５】
（作用効果２）大棟４１の部分の段差部４２に対して、化粧材５１を設置しても良い。これにより、水平屋根面１１と勾配屋根面１２〜１５との間に段差部４２を設けた場合に、段差部４２を化粧材５１で覆うことで段差部４２およびその周辺の見栄えを良く仕上げることができる。
【００４６】
（作用効果３）化粧材５１を断面ほぼＬ型のものとして、断面ほぼＬ型の化粧材５１の水平面５１ａと垂直面５１ｂとのコーナー部分に斜めの隅切部５１ｃを設けるようにしても良い。これにより、化粧材５１に外部から目立つような大きな角部がなくなるので、化粧材５１自体を見栄えの良いものにすることができる。よって、太陽電池パネル付屋根５の段差部４２の外観品質を向上することができる。
【００４７】
（作用効果４）水平屋根面１１を構成する野地板６１と、勾配屋根面１２〜１５を構成する野地板６２との間に離隔部６３を設けるようにしても良い。これにより、水平屋根面１１と勾配屋根面１２〜１５とが構造的に切り離されて、完全に独立したものとなるので、水平屋根面１１および勾配屋根面１２〜１５の形状自由度を更に上げることができる。
【００４８】
（作用効果５）離隔部６３で、水平屋根面１１の野地板６１の縁部６１ａを、勾配屋根面１２〜１５の野地板６２の上縁部６２ａよりも上下方向６５の位置が高くなるようにしても良い。これにより、上側に位置する水平屋根面１１の形状自由度を更に上げることができる。よって、水平屋根面１１に対して太陽電池パネル４をより有効に設置することが可能となる。
【００４９】
（作用効果６）水平屋根面１１に化粧材受材７１を設けるようにしても良い。これにより、化粧材受材７１を用いて化粧材５１を受けることが可能となり、水平屋根面１１に化粧材５１を支障なく取付けることができる。
【００５０】
（作用効果７）勾配屋根面１２〜１５の上部に勾配部化粧材７２を取付けても良い。これにより、勾配屋根面１２〜１５の上部（の太陽電池パネル４が設置されていない部分など）を勾配部化粧材７２で覆って勾配屋根面１２〜１５の見栄えを良くすることができる。また、建物１がユニット建物である場合、勾配屋根面１２〜１５（の屋根パネル２７）は、工場で予め製造されることになるので、勾配屋根面１２〜１５の上部に勾配部化粧材７２を取付ける構造にすることで、見栄えの良い状態で屋根パネル２７を出荷することができる。
【００５１】
（作用効果８）勾配部化粧材７２に化粧材５１を接続した。これにより、化粧材５１と勾配部化粧材７２とを連続させて、太陽電池パネル付屋根５や段差部４２周辺の見栄えを良く仕上げることができる。また、現場では、化粧材５１を取付けるだけで、簡単に勾配部化粧材７２に化粧材５１を接続することができる。
【００５２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５３】
４      太陽電池パネル
５      太陽電池パネル付屋根
１１    水平屋根面（屋根面）
１２    勾配屋根面（屋根面）
１３    勾配屋根面（屋根面）
１４    勾配屋根面（屋根面）
１５    勾配屋根面（屋根面）
４１    大棟
４２    段差部
５１    化粧材
５１ａ  水平面
５１ｂ  垂直面
５１ｃ  隅切部
６１    野地板
６２    野地板
６３    離隔部
６１ａ  縁部
６２ａ  上縁部
６５    上下方向
７１    化粧材受材
７２    勾配部化粧材
７３    接続部
【図１】
2018141309.tif 000003
【図２】
2018141309.tif 000004
【図３】
2018141309.tif 000005
【図４】
2018141309.tif 000006
【図５】
2018141309.tif 000007